(57)【要約】【課題】  マイナスイオンと遠赤外線を人やペットなどに実効的に放出する実用価値、商品価値の高い陶器製ペンダントを提供する。【解決手段】  マイナスイオンを発生し遠赤外線を放射する複数種類の天然鉱石を粉砕し混合した粉粒体を内含した陶器本体１を主体とする陶器製ペンダントで、陶器本体１の表面Ｍにペットの種類とペンダント用途のいずれかが表示でき、かつ、その表示のデザイン、サイズが複数に選択できる表示部１ａを設ける。表示部１ａの表示は、ペットをモチーフにした図柄または写真などと選択して、ペットとペットオーナーの心の絆を深め、かつ、健康と自然治癒力を高める付加価値の高い健康グッズを提供する。【選択図】図１
0003110830.tif 000002
【実用新案登録請求の範囲】
【請求項１】
マイナスイオンを発生し遠赤外線を放射する天然鉱石の粉粒体を内含した陶器本体の表面に、ペットの種類とペンダント用途のいずれかが表示でき、かつ、その表示のデザイン、サイズが複数に選択できる表示部を設けたことを特徴とする陶器製ペンダント。
【請求項２】
前記表示部の表示が、ペットをモチーフにした図柄または写真であることを特徴とする請求項１に記載の陶器製ペンダント。
【請求項３】
前記陶器本体が直径２０〜４０ｍｍ、厚さ５〜１０ｍｍの円盤状で、裏面が平坦面で表面が略凸球面であり、この略凸球面に前記表示部を設けたことを特徴とする請求項１または２に記載の陶器製ペンダント。
【請求項４】
前記陶器本体は、トルマリン鉱石を含む複数種類の天然鉱石の粉粒体を混入した釉薬を、所望形状に成形した陶器素材に釉掛けして、当該陶器素材を焼成した構造であることを特徴とする請求項１ないし３のいずれかに記載の陶器製ペンダント。
【考案の詳細な説明】
【技術分野】
【０００１】
本考案は、ペットとペットオーナーに心身共に好適な陶器製ペンダントに関する。
【背景技術】
【０００２】
地球環境においては、オゾン層の破壊、大気汚染、大気中のイオンバランスの悪化などの問題が山積している。これらの問題は、人類自らが科学文明の進化を優先させたことを要因に発生しており、解決することは至難なことであり、長い年月を要すると言われている。このような地球環境にあって、個人ができることの１つに、身の回りの生活環境を好転させることがある。例えば、動植物に有害なプラスイオンをマイナスイオンで無害化させることが公知である。また、個人が生活環境を間接的に好転させることに、多くの植物環境の中でペットと過ごし、人とペットの健康と植物の生育に良い環境を創り出すことがある。
【０００３】
マイナスイオンは、人の安眠、精神安定作用、自律神経調整作用、血液の浄化作用などに優れ、家具類の防カビ作用、ペットの防ダニ作用、消臭作用、電気製品の電磁波吸収作用に優れる。マイナスイオンを発生する各種のマイナスイオン製品が開発され、市販されている。マイナスイオン製品は、トルマリン鉱石などの天然鉱石を使用した製品（例えば、特許文献１、特許文献２参照）が、電気でマイナスイオンを発生させる製品に比べ小形で安価であり、特に半永久的にマイナスイオンを発生することから、家具や衣類、装身具などにトルマリングッズの名で普及している。トルマリン鉱石は、マイナスイオンを発生すると同時に、約６〜１２ミクロン波長の遠赤外線を半永久的に放射する。この遠赤外線は、動植物の温熱効果、細胞活性化作用に優れ、人やペットの動物においては自然治癒力を高め、草木の植物においては生育を促進する効果に優れることが知られている。
【特許文献１】特開平１１−０５７０２４号公報
【特許文献２】特開平１１−０２１３９８号公報
【考案の開示】
【考案が解決しようとする課題】
【０００４】
トルマリン鉱石を粉砕した粉末を樹脂に混入した樹脂製品や、粘土と混ぜて焼成した陶磁器製の容器（ペットの食器など）がトルマリングッズとして商品化され、各製品においてマイナスイオンと遠赤外線の効能が宣伝されている。
【０００５】
また、日本国内のペット総数の内、約８０％がイヌ、ネコであり、その数は約１６００万頭（２００３年度でイヌ約９００万頭、ネコ約７００万匹）で、イヌのほうが多い。ちなみに米国ではイヌ、ネコがほぼ同数であると報告されている（２００１年の報告）。いずれの国も、ペットはイヌ、ネコがほとんどであり、これらのデータから多くのペットオーナーがペットと心の絆を結び、ペットによって大いに心が癒され、多くのペットがペットオーナーに如何に大切にされているかが分かる。
【０００６】
また、イヌ、ネコのペット関連グッズの５０％余りがペットフードであり、残りが他の関連グッズある。この関連グッズは、ペットを可愛く見せる衣料、装飾品のようなもの、ペットの歯を丈夫に守る歯磨き的なものなどで、ペットの体全体を丈夫にし、体力を付けさせるトルマリングッズのような健康グッズが極端に少ない。ペットの健康は、ペットフードの栄養バランスや運動で守るのが常識とされている。しかし、近年の環境汚染の問題からペットの健康をペットフードや運動で守ることが難しくなっている。そのため、ペットが健康を害するとペットオーナーも心配で健康を損ねるといった問題が目立つようになっている。
【０００７】
このような問題が目立つのは、ペットを対象としたペットに適合したトルマリングッズが商品化されていないためであり、仮に商品化されても高価で売れないことが原因していると考えられる。そこで、ペットオーナーによっては、身に付けていたトルマリングッズを外してペットに掛けてペットの健康を気遣うといったことをしているが、人に適合させたトルマリングッズは、当然ながら形、材質、サイズなどがペットに適合しなく、トルマリングッズの効能が十分に発揮できていない。
【０００８】
本考案者は、かかる実情に鑑みてなされたもので、ペットにも好適な健康グッズとしての陶器製ペンダントを提供することを目的とする。
【課題を解決するための手段】
【０００９】
本考案は、マイナスイオンを発生し遠赤外線を放射する天然鉱石の粉粒体を内含した陶器本体の表面に、ペットの種類とペンダント用途のいずれかが表示でき、かつ、その表示のデザイン、サイズが複数に選択できる表示部を設けたことを特徴とする。
【００１０】
ここで、表示部の表示は、ペットをモチーフにした図柄または写真が望ましい。また、陶器本体が直径２０〜４０ｍｍ、厚さ５〜１０ｍｍの円盤状で、裏面が平坦面で表面が略凸球面であり、この略凸球面に表示部を設けることができる。
【００１１】
また、天然鉱石は、トルマリン鉱石、ゲルマニウム鉱石を含む複数種類の天然鉱石が適用できる。陶器本体は、天然鉱石の粉粒体を混入した釉薬を、所望形状に成形した陶器素材に釉掛けして、この陶器素材を焼成した構造とすることができる。
【００１２】
上記天然鉱石は、トルマリン鉱石とゲルマニウム鉱石の他に医王石、貴陽石、ホルンヘルス、麦飯石などが適用でき、その種類の数は４〜６程度が望ましい。天然鉱石の種類と混合する割合を調整することで、マイナスイオンの発生量と遠赤外線の放射量が動植物に実効的に作用する量に設定される。
【考案の効果】
【００１３】
本考案の陶器製ペンダントによれば、陶器の材質と形状、サイズからイヌ、ネコのペット用健康グッズ、ペットオーナーなどの人間用健康グッズの他、携帯電話などの家電製品用ストラップとしても好適に使用できる汎用性に優れた、したがって、ペットショップに限定されない広い販路でトルマリングッズ、健康グッズとして販売できる商品的付加価値の高いペンダントが提供できる。また、陶器本体の表示部にペットのエレガントなモチーフを表示させれば、ペットとペットオーナーの心の絆を強める効果に優れ、半永久的に放出されるマイナスイオンと遠赤外線によるペットとペットオーナーの健康と自然治癒力を強める効果が尚一層に増大して、ペットとペットオーナー共に快適な生活環境を現出する商品価値の高いペンダントが提供できる。
【００１４】
また、陶器本体の表示部のデザイン、色や、サイズの選択で幅広い品揃えができて、多品種を安価に生産することが容易になる。特に、ペット用トルマリングッズとして製品化することで、大量の購買が見込まれ、陶器製造業界、ペットグッズ販売業界を大いに発展させて、産業界を活性化させる効果が期待できる。
【考案を実施するための最良の形態】
【００１５】
以下、本考案の実施の形態を添付図面を参照して説明する。
【００１６】
図１〜図３に示す陶器製ペンダント１は、直径３０〜３５ｍｍ程度で厚さ６ｍｍ程度の円盤状の陶器本体を備える。この陶器本体を、以下、必要に応じペンダント１または陶器本体１と称する。陶器本体１は、円形の中央部１ａと周縁部１ｂを有する。ペンダント１は表面Ｍと裏面Ｎを有し、裏面Ｎは平坦面である。中央部１ａの表面Ｍは凸球面で、この凸球面がペットの種類とペンダント用途のいずれかが表示でき、かつ、その表示のデザイン、サイズが複数に選択できる表示部で、以下、表示部１ａと称する。表示部１ａと周縁部１ｂの境界部分の一部に表裏面を貫通する取付穴２が形成される。裏面Ｎには、必要に応じて絵柄、文字、記号などが表示される。
【００１７】
陶器本体１は、通常の陶器と同様にして製造される。この陶器製造の段階で、マイナスイオンを発生し遠赤外線を放射するトルマリン鉱石などの複数種類の天然鉱石の粉粒体を陶器本体１に内含させる。この陶器本体１の製造例を、図４（Ａ）〜（Ｃ）および図５（Ａ）〜（Ｃ）で説明する。
【００１８】
図４（Ａ）は、円盤状の陶器素材３の部分断面を示す。陶器素材３は、原料の粘土を練って所定の円盤形状に成形し、乾燥させて素焼きしたものである。この陶器素材３は、必要に応じて絵付けされる。次に、陶器素材３を釉掛けして、図４（Ｂ）に示すように表裏全面に釉薬４を塗着する。釉薬４は、マイナスイオンを発生し遠赤外線を放射する機能の高いトルマリン鉱石などの複数種類の天然鉱石の粉粒体を包含する。釉掛けした陶器素材３を高温で本焼きして、図４（Ｃ）に示すように表裏全面にガラス質層５を形成する。このガラス質層５と陶器素材３の表層部分に、マイナスイオンを発生し遠赤外線を放射する天然鉱石粉粒体６の多くが平均的に分散して内包固定される。
【００１９】
図５（Ａ）は、天然鉱石粉粒体６を内包させた陶器素材３が示される。この陶器素材３を、同じ天然鉱石粉粒体を混入した釉薬で釉掛けして、図５（Ｂ）に示すように表裏全面に釉薬４を塗着する。その後、本焼きして図５（Ｃ）に示すようにガラス質層５を形成する。
【００２０】
以上のように製作された陶器本体１を使って陶器製ペンダント１が製品化される。このペンダント１の用途例を図６〜図８に示す。
【００２１】
図６に、人の首に掛けたペンダント１を示す。ペンダント１から放出されるマイナスイオン、遠赤外線が人体に直接的に作用して、マイナスイオン効果（精神安定効果、自律神経調整効果、血液浄化効果など）が実効的に機能する。寝るときにもペンダント１を首に掛けたり、近くに置いておくと安眠効果が期待でき、さらに、防カビ効果や脱臭効果が期待できる。また、人に遠赤外線効果（温熱効果、細胞活性効果、自然治癒効果など）が実効的に機能し、美肌効果が期待できる。
【００２２】
図７は、ペンダント１をペットに装着したものである。例えばイヌの首輪１１にペンダント１を吊り下げる。このペンダント１は、上述の人に対するのと同様なマイナスイオン効果と遠赤外線効果があり、特にイヌやネコのような多毛のペットにおいては、毛並みを艶やかにしてペットを健康的にする効果に優れる。
【００２３】
図８は、ペンダント１を観葉植物の鉢１２の内側に取り付けたものである。この場合、ペンダント１のマイナスイオン効果と遠赤外線効果で植物の生育が促進され、観葉植物の葉の色づきが鮮明になる。また、鉢１２の土壌１３に対して防カビ効果に優れる。このようなペンダント１は、人やペットの上記ペンダントの破損品を使用することもできる。陶器製ペンダント１または陶器本体１は割れ欠けしても、マイナスイオンと遠赤外線の放出機能は損なわれず半永久的であることから、これらの割れ、欠けの破損品を使用することも有効である。
【００２４】
尚、上記陶器製ペンダント１は、上記した用途以外に、例えば携帯電話やパソコンのような電磁波を発生する家電製品に電磁波吸収グッズとして取り付けることができる。ペンダントから発生するマイナスイオンは家電製品から発生する電磁波を減衰させ、軽減させる作用があり、この作用で人の目の疲れなどの疲労が緩和される。また、マイナスイオンのアース効果で家電製品の消費電力が低減される。
【図面の簡単な説明】
【００２５】
【図１】（Ａ）は本考案の実施の形態を示す陶器製ペンダントの正面図、（Ｂ）はＴ−Ｔ線に沿う断面図である。
【図２】図１のペンダントの裏面図である。
【図３】図１のペンダントの下面図である。
【図４】（Ａ）〜（Ｃ）は本考案の実施の形態を示す陶器製ペンダントの製造過程を示す部分拡大断面図である。
【図５】（Ａ）〜（Ｃ）は本考案の実施の形態を示す陶器製ペンダントの他の製造過程を示す部分拡大断面図である。
【図６】図１のペンダントを人に装着したときの斜視図である。
【図７】図１のペンダントをペットに装着したときの斜視図である。
【図８】図１のペンダントを観葉植物に使用したときの斜視図である。
【符号の説明】
【００２６】
１    陶器製ペンダント、陶器本体
１ａ    中央部、表示部
１ｂ    周縁部
２    取付穴
３    陶器素材
４    釉薬
５    ガラス層
６    天然鉱石粉粒体
【図１】
0003110830.tif 000003
【図２】
0003110830.tif 000004
【図３】
0003110830.tif 000005
【図４】
0003110830.tif 000006
【図５】
0003110830.tif 000007
【図６】
0003110830.tif 000008
【図７】
0003110830.tif 000009
【図８】
0003110830.tif 000010